(57)【要約】【課題】常に安定した状態でスムースにスライド移動させることができスライド部材によって機器本体の表面に傷を付けてしまうことのないスライド部材を有する機器を提供する。【解決手段】機器本体と、機器本体上をスライドする長方形状のスライド部材１２と、スライド部材を機器本体の短辺方向にスライドさせるため機器本体に設けられスライド部材の短辺と平行な第１の壁面１０ｆと、スライド部材を機器本体の短辺方向にスライドさせるため機器本体に設けられ第１の壁面と平行にかつ対向するように第１の壁面からスライド部材の長辺方向に離間して設けられた第２の壁面１０ｇと、スライド部材に設けられ第１の壁面と当接摺動する第１の摺動部２３ｆと、第２の壁面と当接摺動し第１の壁面と第１の摺動部との摺動長及び第２の壁面との嵌合長より長い距離だけ離間しかつ第１の壁面と第２の壁面の離間距離より大きく離間して配設された第２の摺動部２３ｇとを有する【選択図】図８
2010049198.tif 000002
【特許請求の範囲】
【請求項１】
スライド部材を有する機器において、
機器本体と、
上記機器本体上をスライドする長方形状のスライド部材と、
上記スライド部材を上記機器本体の短辺方向にスライドさせるため上記機器本体に設けられ、上記スライド部材の短辺と平行な第１の壁面と、
上記スライド部材を上記機器本体の短辺方向にスライドさせるため上記機器本体に設けられ、上記第１の壁面と平行にかつ対向するように上記第１の壁面から上記スライド部材の長辺方向に離間して設けられた第２の壁面と、
上記スライド部材に設けられ、上記第１の壁面と当接摺動する第１の摺動部と、
上記第２の壁面と当接摺動し、上記第１の壁面と上記第１の摺動部との摺動長及び上記第２の壁面との嵌合長より長い距離だけ離間しかつ上記第１の壁面と上記第２の壁面の上記離間距離より大きく離間して配設された第２の摺動部と、
を有することを特徴とするスライド部材を有する機器。
【請求項２】
上記第１の摺動部及び上記第２の摺動部は、上記スライド部材に対して弾性変位可能に設けられていることを特徴とする請求項１に記載のスライド部材を有する機器。
【請求項３】
上記第１の壁面と上記第２の壁面は合成樹脂からなり、上記第１の摺動部と上記第２の摺動部とは金属材料からなることを特徴とする請求項１に記載のスライド部材を有する機器。
【請求項４】
上記機器は、カメラであることを特徴とする請求項１〜請求項３のうちのいずれか一つに記載のスライド部材を有する機器
【発明の詳細な説明】
【技術分野】
【０００１】
この発明は、スライド部材を有する機器、及びカメラ等において撮影レンズの前面を開閉するためにカメラ本体上をスライドするスライド部材を有する機器に関するものである。
【背景技術】
【０００２】
従来、機器本体の表面上をスライドするように配されたスライド部材を有する機器についての提案が種々なされており、また一般に実用化されている。
【０００３】
このようなスライド部材を有する機器としては、例えば写真撮影を行うカメラ等がある。このような形態のカメラ、即ちカメラ本体の表面上をスライドして撮影レンズ等の前面を開閉するように配設されたスライド部材を有するカメラは、例えば特開２００４−２６４６９７号公報等によって、さまざまな形態のものが提案されており、また一般に実用化されている。
【０００４】
この種の形態の従来のカメラにおけるスライド部材は、例えば使用者が手動操作を行なうことで、撮影レンズの前面を覆う位置と撮影レンズの前面から待避した位置との間をスライド移動可能となるようにカメラ本体の前面に設けられているものである。そして、このスライド部材が移動する際には、カメラ本体の表面に沿う方向に移動するようになっている。
【０００５】
このスライド部材の形態として、例えば略平面状のカメラ本体の表面に対して略平行となるように配置される略平板形状の部材とし、この板状のスライド部材の両端部に係合部を形成し、この係合部とカメラ本体の両側縁部にそれぞれ形成したガイド溝とを係合させることで、同ガイド溝に沿う方向にスライド部材をスライド移動可能に構成したものがある。
【０００６】
この場合において、スライド部材の係合部とカメラ本体の両端のガイド溝とを係合させることで、当該スライド部材は、カメラ本体に対してその両端部で支持されると共に、カメラ本体の表面に沿う方向であって、ガイド溝に沿う方向に移動可能に構成されるようになっている。
【特許文献１】特開２００４−２６４６９７号公報
【発明の開示】
【発明が解決しようとする課題】
【０００７】
ところが、従来のスライド部材を有する機器において、平面状の機器本体の表面に対して長方形状の平板状のスライド部材を短辺である両端で支持し、スライド移動させるように構成したものにおいて、板形状のスライド部材の長辺が、このスライド部材の短辺より十分に長くなるようにした場合、例えばスライド部材を移動させる際の使用者によりスライド部材への力のかけ方に偏りが生じたり、スライド部材の係合部と機器本体のガイド溝との間にガタ付き等があると、スライド部材は、その移動方向に対して傾いた状態になってしまうことがある。
【０００８】
このように、スライド部材が移動方向に対して傾いた状態となった場合には、同スライド部材を安定した状態で移動させることが困難になってしまうという問題が生じる。
【０００９】
本発明は、上述した点に鑑みてなされたものであって、その目的とするところは、スライド部材を移動させたときに、常に安定した状態でスムースにスライド移動させることができ、スライド部材によって機器本体の表面を傷を付けてしまうことのない構成のスライド部材を有する機器を提供することである。
【課題を解決するための手段】
【００１０】
上記目的を達成するために、本発明によるスライド部材を有する機器は、機器本体と、上記機器本体上をスライドする長方形状のスライド部材と、上記スライド部材を上記機器本体の短辺方向にスライドさせるため上記機器本体に設けられ上記スライド部材の短辺と平行な第１の壁面と、上記スライド部材を上記機器本体の短辺方向にスライドさせるため上記機器本体に設けられ上記第１の壁面と平行にかつ対向するように上記第１の壁面から上記スライド部材の長辺方向に離間して設けられた第２の壁面と、上記スライド部材に設けられ上記第１の壁面と当接摺動する第１の摺動部と、上記第２の壁面と当接摺動し上記第１の壁面と上記第１の摺動部との摺動長及び上記第２の壁面との嵌合長より長い距離だけ離間しかつ上記第１の壁面と上記第２の壁面の上記離間距離より大きく離間して配設された第２の摺動部と、を有することを特徴とする。
【発明の効果】
【００１１】
本発明によれば、スライド部材を移動させたときに、常に安定した状態でスムースにスライド移動させることができるスライド部材を有する機器を提供することができる。
【発明を実施するための最良の形態】
【００１２】
以下、図示の実施の形態によって本発明を説明する。
【００１３】
本発明について以下に説明するのに際して、その一実施形態のスライド部材を有する機器として、例えば撮影レンズの前面を覆う位置と同撮影レンズの前面から退避する位置との間で機器表面上をスライド移動するスライド部材としてのバリアユニットを有するカメラを例に上げて説明するものとする。
【００１４】
図１〜図９は、本発明の一実施形態を示す図である。このうち図１，図２は、本実施形態のカメラを示す外観図であって、図１はバリアユニットが開位置にある状態を示し、図２はバリアユニットが閉位置にある状態を示している。図３は、本実施形態のカメラの分解斜視図である。図４は、本実施形態のカメラにおけるバリアユニットのみを取り出して拡大して示す要部拡大分解斜視図である。図５は、図３に示す［Ｖ］−［Ｖ］線に沿う断面を示す拡大断面図である。なお、図５においては、図面の煩雑化を避けるために、特にバリアユニットとこれに関連する部材を主に図示し、本発明に直接関連しない部材、例えば本体ケース１０の内部構成部材等については、その図示を省略している。図６は、図５に示す［ＶＩ］部を拡大して示す要部拡大断面図である。図７は、本実施形態のカメラのバリアユニットにおける摺動部材をバリアユニットに組み込む際の作用を説明する図である。図８は、本実施形態のカメラのうち本体ケースとバリア本体部品とを取り出して示す分解斜視図である。図９は、本実施形態のカメラのバリアユニットにおけるバリア本体部品の五面図である。なお、この図９では、バリア本体部品の裏面を正面図として図示している。
【００１５】
まず、本実施形態のカメラの概略構成を、主に図１〜図３に基いて以下に説明する。
【００１６】
本実施形態のカメラ１（以下、単にカメラ１と略記する）は、例えば樹脂成形品からなり内部に各種の構成部材、例えば撮影レンズユニット１６，閃光発光装置１７，ＡＦ補助光発光装置１８，表示装置等のほか制御回路や電源回路等の各種の電気部品等を有し、外面に複数の操作部材、例えば電源ボタン１９ａ，シャッターボタン１９ｂ等を配設して構成される本体ケース１０（図３参照）及びこの本体ケース１０の外面を覆うように配設され本カメラ１の外観を形成する複数の外観部品（符号１１，１３，１４，１５，２０等。詳細は後述する）によって構成される機器本体であるカメラ本体と、このカメラ本体の前面に設けられ、撮影レンズユニット１６の前面から待避した位置（開位置という。図１に示す状態）と撮影レンズユニット１６の前面を覆う位置（閉位置という。図２に示す状態）との間をスライド移動可能に構成したスライド部材であるバリアユニット１２等によって主に構成されている。
【００１７】
上記外観部品としては、主に本体ケース１０の前面及び上面，底面の一部を覆う前側外観部品１１と、主に本体ケース１０の側面それぞれを覆う略矩形状の右側外観部品１３，略矩形状の左側外観部品１４と、本体ケース１０の内部に電源電池や記録媒体を収納するための電池媒体収納室の開口部を覆う位置と開放する位置とに開閉自在に配設される略矩形状の電池蓋１５と、本体ケース１０の左側面に設けられ外部機器との間で有線による接続を行うための接続端子部の配設部位の開口を覆う位置と開放する位置とに開閉自在に配設される略矩形状の端子蓋２０等がある。
【００１８】
外観部品の少なくとも外面側は、主に金属部材によって形成されている。例えば、上記前側外観部品１１，右側外観部品１３，左側外観部品１４は、金属製（例えばアルミ板，亜鉛ダイカスト，ステンレス鋼等）の薄板を板金加工して形成されたものである。
【００１９】
前側外観部品１１の前面の上面寄りの部位には、本体ケース１０の内部に配設される撮影レンズユニット１６の前面を露呈させる撮影レンズ窓１１ａ（図１，図３参照）と、本体ケース１０の内部に配設される閃光発光装置１７の閃光を出射する閃光発光窓１１ｂ（同上）と、本体ケース１０の内部に配設されるＡＦ補助光発光装置１８のＡＦ補助光を出射するＡＦ補助光発光窓１１ｃ（同上）と、カメラ本体に対してバリアユニット１２を移動可能に連結する連結部品２６を固設するために該連結部品２６と同形状に形成される窓部１１ｄ（図３参照）等が穿設されている。
【００２０】
また、前側外観部品１１の上面側には、本体ケース１０の上面に配設される操作部材である電源ボタン１９ａ，シャッターボタン１９ｂを露呈させる窓部１１ｅ（図１，図３参照）が穿設されている。
【００２１】
右側外観部品１３は、本カメラ１の前面に向かって右側面を覆うように配設されている。この右側外観部品１３は、本体ケース１０の右側面に対して二本のネジ１３ａ（図３参照）によって固定されるようになっている。
【００２２】
左側外観部品１４は、本カメラ１の前面に向かって左側面を覆うように配設されている。この左側外観部品１４は、本体ケース１０の左側面に対して二本のネジ１４ａ（図２，図３参照）によって固定されるようになっている。
【００２３】
なお、左側外観部品１４には、端子蓋２０を開閉自在に配設するための窓部１４ｂが穿設されている。また、左側外観部品１４の略中央部分には、外側に向けて突出するループ形状のストラップ取付部１４ｃが形成されている。
【００２４】
一方、電池蓋１５，端子蓋２０は、本体部分は樹脂成形部品又はダイカスト成形品等からなり、その外面がメッキ等の金属薄等で覆うように構成されている。
【００２５】
電池蓋１５は、その一端部に設けられる支軸１５ａによって本体ケース１０の一隅部（本実施形態の図示の例ではカメラ前面に向かって左下隅部）に回動自在に配設されている。これにより、電池蓋１５は、電池媒体収納室の開口を開閉し得る構造となっている。
【００２６】
端子蓋２０も同様に、その一端部に設けられる支軸（図示せず）によって本体ケース１０の所定の部位（本実施形態の図示の例ではカメラの左側面の中程の部位）に回動自在に配設されている。これにより、端子蓋２０は、接続端子部の配設開口を開閉し得る構造となっている。
【００２７】
また、端子蓋２０は、ロック機構２０ａを有している。このロック機構２０ａは、端子蓋２０を本体ケース１０に対して閉状態に固定するための機構である。そして、ロック機構２０ａのツマミをスライドさせることによって、端子蓋２０の閉状態を解除し開状態とすることができるようにもなっている。
【００２８】
なお、図示されていないが、電池蓋１５もまた、上記端子蓋２０のロック機構２０ａと略同様のロック機構を有している。
【００２９】
上記電池蓋１５，端子蓋２０については、本発明の本質に関する部分ではないので、上述した以外の詳細構成についての説明は省略する。
【００３０】
バリアユニット１２は、撮影レンズユニット１６，閃光発光装置１７，ＡＦ補助光発光装置１８等の前面から退避して前側外観部品１１の各窓１１ａ，１１ｂ，１１ｃ等の前面を露呈する位置（開位置という。図１に示す状態）と、撮影レンズユニット１６，閃光発光装置１７，ＡＦ補助光発光装置１８等の前面を覆い前側外観部品１１の各窓１１ａ，１１ｂ，１１ｃ等の前面を遮蔽する位置（閉位置という。図２に示す状態）との間を移動可能となるようにカメラ１の前面に設けられている。
【００３１】
このバリアユニット１２は、図３，図４に示すように、バリア外観部品２１と、スペーサ２２と、バリア本体部品２３と、複数の付勢バネ２４と、複数の摺動部材２５等によって構成されている。
【００３２】
バリア外観部品２１は、金属製（例えばアルミニウム材等）の板状部材を加工して形成され、該バリアユニット１２の外面を覆う長方形（矩形）状の外観装飾部品である。
【００３３】
スペーサ２２は、樹脂製（例えばポリカーボネート材等の電気的絶縁材料）のシート状部材からなり、上記バリア外観部品２１と上記バリア本体部品２３との間に挟持されるように配置されて両者間の電気的接続を遮断して電蝕作用を防ぐ外形が長方形状の部品である。
【００３４】
なお、スペーサ２２は、バリア外観部品２１，バリア本体部品２３のそれぞれに対しては、接着剤等を用いて貼着されるようになっている。
【００３５】
バリア本体部品２３は、金属製（例えばステンレス鋼等）の板状部材を加工して形成され、該バリアユニット１２の本体部分を構成し、連結部品２６を介して該バリアユニット１２をカメラ本体に対して摺動可能に連結する略長方形の部品である。
【００３６】
付勢バネ２４は、略円錐形状の金属製のコイルバネ等からなり、上記摺動部材２５をカメラ本体の前側外観部品１１の表面に対して常に当接するように付勢する付勢部材である。
【００３７】
摺動部材２５は、バリアユニット１２の裏面側に設けられ、上記付勢バネ２４によってカメラ本体の前側外観部品１１の表面に対して常に当接するように付勢され、カメラ本体の表面に対して垂直方向に可動である。これにより、摺動部材２５は、カメラ本体の表面に対してバリアユニット１２を支持する役目をしている。摺動部材２５は、例えばポリアセタール等の合成樹脂材によって形成されている。
【００３８】
摺動部材２５は、図５，図６に示すように、中空の筒状部２５ａと、この筒状部２５ａの一端側に連接して該筒状部２５ａよりも大径に形成され摺動面２５ｃとバネ受け面２５ｄを有してなるフランジ部２５ｂとによって形成されている。換言すれば、摺動部材２５は、例えば押しピン若しくは画鋲（Thumbtack）と同様の形状に形成されているものである。
【００３９】
摺動面２５ｃは、バリアユニット１２に組み込まれた状態で、前側外観部品１１の表面に常に当接し、バリアユニット１２が移動するときには摺動する面である。この摺動面２５ｃの略中央部分の領域には、断面が内側に向けて凹形状となる凹部２５ｆが形成されている。
【００４０】
バネ受け面２５ｄは、バリアユニット１２に組み込まれた状態で、付勢バネ２４の付勢力を受けて該摺動部材２５を前側外観部品１１の表面に向けて付勢する面である。
【００４１】
なお、摺動部材２５は、バリアユニット１２に組み込まれた状態（図６参照）となったときには、筒状部２５ａがバリア本体部品２３に穿設される孔２３ｃに挿通された状態となる。このとき、フランジ部２５ｂのバネ受け面２５ｄとバリア本体部品２３との間に付勢バネ２４が挟持される形態となるように、付勢バネ２４は筒状部２５ａに巻回されるように配置されている。
【００４２】
そして、摺動部材２５をバリアユニット１２に組み込んだ状態（図６参照）としたとき、筒状部２５ａの一端側のフランジ部２５ｂとは反対側の他端部には、筒状部２５ａの外径よりも大となるように周方向に突出する係止部２５ｅが形成される。この係止部２５ｅは、バリアユニット１２の組み立て工程において形成される部位である。
【００４３】
ここで、バリアユニット１２を組み立てる際の付勢バネ２４及び摺動部材２５の組み付け工程の概略を、図６，図７を用いて説明する。
【００４４】
上述したように、図６は図５の［ＶＩ］部を拡大して示す要部拡大断面図である。この図６は、バリアユニット１２を組み立てた状態を示しているものである。
【００４５】
一方、図７は、バリアユニット１２を組み立てる工程において、摺動部材２５をバリアユニット１２のバリア本体部品２３に組み込む際に治具にセットした際の状態を示している。
【００４６】
まず、バリアユニット１２に組み付ける以前の摺動部材２５の本来の形状は、図７に示すような形状となっている。即ち、摺動部材２５の筒状部２５ａの他端部が、外周縁に壁部２５ｅｅを有し、断面が内側に向けてテーパーを有する略凹状の凹部２５ｇを有するように形成されている。
【００４７】
バリアユニット１２を組み立てる工程においては、まず、上述した形態の摺動部材２５の筒状部２５ａに付勢バネ２４を巻回させる形態に挿通させる。このとき、付勢バネ２４の円錐の頂部側が摺動部材２５のフランジ部２５ｂのバネ受け面２５ｄに向けて、該頂部がバネ受け面２５ｄに当接させるように配置する。
【００４８】
このように付勢バネ２４を筒状部２５ａに巻回した状態の摺動部材２５の筒状部２５ａを、バリア本体部品２３の裏面から孔２３ｃに挿通させる。この状態では、摺動部材２５は、孔２３ｃから容易に抜け落ちてしまう状態にある。
【００４９】
また、同状態では、付勢バネ２４は、摺動部材２５のフランジ部２５ｂのバネ受け面２５ｄとバリア本体部品２３の裏面との間に配置されることになる。しかしながら、上述したように摺動部材２５が固定状態に無いので、付勢バネ２４の付勢力は摺動部材２５を孔２３ｃから脱落させる方向に働く。
【００５０】
この状態において、摺動部材２５が孔２３ｃから脱落するのを防ぐと共に、付勢バネ２４の付勢力が摺動部材２５をバリア本体部品２３の後方、即ちバリア本体部品２３の裏面に対向して配設される前側外観部品１１の表面に向けて付勢するようにするために、摺動部材２５の他端部の壁部２５ｅｅ（図７）を図６に示すような形態の係止部２５ｅとなるように潰す加工をする。
【００５１】
そのために、上述の状態とした摺動部材２５のフランジ部２５ｂの摺動面２５ｃ側の凹部２５ｆに対して、図７に示すように第１治具５１の凸部５１ｆを嵌合させる。
【００５２】
この第１治具５１は、摺動面２５ｃの凹部２５ｆと略同径の凸部５１ｆを有してなり、図示しない固定部に固定されている。
【００５３】
次いで、摺動部材２５の筒状部２５ａの他端部に対して垂直方向に第２治具５２を当接させる。この状態で、第２治具５２によって筒状部２５ａに対し図７の矢印Ｐに沿う方向の所定力量の圧力を加える。これにより、筒状部２５ａの他端部の壁部２５ｅｅは、図７に示す状態から図６に示すよう状態へと塑性変形して、係止部２５ｅが形成される。この係止部２５ｅの直径は、孔２３ｃの直径よりも大となるように設定される。
【００５４】
このように、第２治具５２により摺動部材２５に対して圧力を加えることで係止部２５ｅを形成するようにしているのであるが、このとき、同圧力を摺動部材２５のフランジ部２５ｂの摺動面２５ｃで受けるようにした場合、同摺動面２５ｃが傷付いてしまうことや微細な金属粉等を摺動面にくわえ込む可能性が考えられる。この摺動面２５ｃは、バリアユニット１２をカメラ本体に組み付けた状態としたときに前側外観部品１１の表面に当接し、バリアユニット１２が移動する際には、同表面上を摺動する部位である。したがって、この摺動面２５ｃが多少とも傷付いた状態になっていたり、微細な金属粉等がそこに存在していると、バリアユニット１２の移動に伴って摺動する際に前側外観部品１１の表面を傷付けてしまう可能性がある。
【００５５】
そこで、本実施形態においては、摺動部材２５をバリア本体部品２３に組み付けて係止部２５ｅを形成させる工程において、摺動部材２５に圧力を加える際には、フランジ部２５ｂの摺動面２５ｃを含む側の面の一部に形成した凹部２５ｆに対して第１治具５１をあてがって、この凹部２５ｆで圧力Ｐを受けるようにしている。
【００５６】
これにより、摺動面２５ｃが傷付くことなく滑らかな面を保持した状態で、係止部２５ｅを形成することができるようになっている。
【００５７】
このようにして係止部２５ｅが形成されることにより、摺動部材２５は、図６に示すような形態となる。この図６に示す状態では、摺動部材２５は、フランジ部２５ｂのバネ受け面２５ｄとバリア本体部品２３の裏面との間に挟持される付勢バネ２４の付勢力により、バリア本体部品２３の後方に向けて付勢される。このとき、摺動部材２５の係止部２５ｅがバリア本体部品２３の表側面で係止されることによって、同摺動部材２５は孔２３ｃから脱落しないようになっている。
【００５８】
そして、バリア本体部品２３の表側にスペーサ２２を貼着した後、このスペーサ２２の表側にバリア外観部品２１を貼着することで、バリアユニット１２の組み立ては完了する。
【００５９】
なお、本実施形態のバリアユニット１２においては、付勢バネ２４と摺動部材２５とは、バリア本体部品２３の裏面の所定の部位にそれぞれ５個配設されている。
【００６０】
このように構成されたバリアユニット１２がカメラ本体に組み込まれた状態において、摺動部材２５は、付勢バネ２４の付勢力によりカメラ本体の前側外観部品１１の表面に向けて付勢されている。したがって、バリアユニット１２が移動するのに伴って、摺動部材２５の摺動面２５ｃは、前側外観部品１１の表面上に常に当接しながら摺動するようになっている。
【００６１】
また、例えばバリアユニット１２が手動操作に伴って前側外観部品１１の表面に向けて変形されたような場合にも、前側外観部品１１の表面と摺動部材２５の摺動面２５ｃとの当接状態は、付勢バネ２４の付勢力によって常に維持されるようになっている。
【００６２】
したがって、前側外観部品１１の表面と摺動部材２５の摺動面２５ｃとの間に砂粒等の塵埃等が入り込むのを防いでいる。これによって、バリアユニット１２が移動する際に、該バリアユニット１２が前側外観部品１１の表面を傷付けてしまうようなことを防止し得るようになっている。
【００６３】
バリアユニット１２は、全体として長方形状となるように形成されており、その長辺方向の両端部分には、それぞれ立ち曲げ部２３ｈ，２３ｉ（図９参照）が形成されており、各立ち曲げ部２３ｈ，２３ｉには、短辺方向に沿う細長形状の摺動支持部２３ａ，２３ｂが形成されている。
【００６４】
この摺動支持部２３ａ，２３ｂのバリア本体部品２３の短辺に沿う方向の長さ寸法は、該バリア本体部品２３の短辺寸法と略同様の長さとなるように設定されている。一方、立ち曲げ部２３ｈ，２３ｉは、バリア本体部品２３の短辺に沿う方向の長さ寸法が、該バリア本体部品２３の短辺寸法に比べて十分に短くなるように設定されている。
【００６５】
そして、この立ち曲げ部２３ｈ，２３ｉ及び摺動支持部２３ａ，２３ｂは、弾性を有するように形成されていて、例えばバリア本体部品２３の平面に対して、その垂直方向からの力量が加わった場合、バリア本体部品２３は、立ち曲げ部２３ｈ，２３ｉ及び摺動支持部２３ａ，２３ｂの弾性力により撓むように弾性変形するようになっている。
【００６６】
図８に示すように、この摺動支持部２３ａ，２３ｂは、それぞれが本体ケース１０の両端部に細長状に形成され前側に向けた開口を有するガイド溝１０ａ，１０ｂに対して摺動自在に係合するようになっている。
【００６７】
これにより、バリアユニット１２は、カメラ本体の本体ケース１０に対して支持されると共に、ガイド溝１０ａ，１０ｂに沿う方向に移動し得るようになっている。
【００６８】
ガイド溝１０ａ，１０ｂには、外側に向けた凸状部１０ａａ，１０ｂｂがレール状に形成されている（図５参照）。これにより、ガイド溝１０ａ，１０ｂと摺動支持部２３ａ，２３ｂとは、線接触で摺動するようになっている。これと同時に、ガイド溝１０ａ，１０ｂ内には、摺動支持部２３ａ，２３ｂとの間において隙間空間が形成されるようになっている。この隙間空間は、ガイド溝１０ａ，１０ｂに沿う方向に形成されていて、その端部近傍は本体ケース１０の側面に向けて開口１０ｄ，１０ｅを有し、外部と連通している（図８参照）。したがって、これにより、例えばバリアユニット１２とカメラ本体との間に砂粒等の塵埃が入り込んだ場合には、これらの塵埃は、ガイド溝１０ａ，１０ｂの隙間空間を介して外部へ排出されるようになっている。
【００６９】
ここで、バリア本体部品２３の長辺方向の寸法をＬ１とする。また、本体ケース１０のガイド溝１０ａの外縁側に沿う面１０ｆ（以下、第１の壁面１０ｆという）と、同ガイド溝１０ｂの外縁側に沿う面１０ｇ（以下、第２の壁面１０ｇという）との間の距離をＬ２とする（図８，図９参照）。面１０ｆと面１０ｇとは距離Ｌ２を隔てて互いに対向する形態となっている。
【００７０】
本実施形態のカメラにおいては、上記寸法Ｌ１，Ｌ２の関係は、
Ｌ２＜Ｌ１
となるように設定されている。具体的には、Ｌ１−Ｌ２≒０．１ｍｍ（バリア本体部品の板厚０．６ｍｍ）となっている。
【００７１】
したがって、これにより、ガイド溝１０ａ，１０ｂに摺動支持部２３ａ，２３ｂが係合した状態となったときには、バリア本体部品２３は、立ち曲げ部２３ｈ，２３ｉ及び摺動支持部２３ａ，２３ｂの弾性力により撓むように弾性変形し、ガイド溝１０ａの外縁側に沿う第１の壁面１０ｆには、摺動支持部２３ａの外方に向く面２３ｆ（以下、第１の摺動部２３ｆ）が、ガイド溝１０ｂの外縁側に沿う第２の壁面１０ｇには、摺動支持部２３ｂの外方に向く面２３ｇ（以下、第２の摺動部２３ｇ）が、常に当接するようになっている。そして、バリアユニット１２がスライド移動されたときには、第１の壁面１０ｆと第１の摺動部２３ｆとが当接摺動し、第２の壁面１０ｇと第２の摺動部２３ｇとが当接摺動するようになっている。
【００７２】
また、ガイド溝１０ａ，１０ｂに係合させた状態のバリアユニット１２が脱落しないようにするために、摺動支持部２３ａ，２３ｂがガイド溝１０ａ，１０ｂに摺動自在に係合させた状態としたとき、ガイド溝１０ａ，１０ｂの前側開口を覆うように、バリアオサエ部品２８，２９が配設されている。
【００７３】
バリアオサエ部品２８には、本体ケース１０に対する位置決めを行う位置決め孔２８ａが穿設されている。この位置決め孔２８ａは、本体ケース１０の右側面に形成される位置決めピン（図示せず）に嵌合するようになっている。そして、バリアオサエ部品２８は、本体ケース１０の右側面と右側外観部品１３との間に挟持された状態で固定されている。
【００７４】
一方、バリアオサエ部品２９にも同様に、本体ケース１０に対する位置決めを行う位置決め孔２９ａが穿設されている。この位置決め孔２９ａは、本体ケース１０の左側面に形成される位置決めピン１０ｃ（図３参照）に嵌合するようになっていると共に、本体ケース１０の左側面に対して両面テープ等により貼着されている。そして、このバリアオサエ部品２９は、本体ケース１０の左側面と左側外観部品１４との間に挟持された状態で固定されている。
【００７５】
上述したように、バリアユニット１２は、連結部品２６を介してカメラ本体の前側外観部品１１に連結されるようになっている。
【００７６】
連結部品２６は、前側外観部品１１の窓部１１ｄに嵌合された状態で、前側外観部品１１の裏面から二本のネジ２６ｃによって該前側外観部品１１に対して固定されている。この連結部品２６の前面側には、前方に向けて二本のピン２６ａがカシメ等によって植設されている。この二本のピン２６ａは、頭部が円形平板状に形成されている。
【００７７】
この二本のピン２６ａは、バリアユニット１２のバリア本体部品２３に形成される二本のガイド溝２３ｄにそれぞれ係合するようになっている。このガイド溝２３ｄは、バリア本体部品２３の短辺方向に延びるように形成されている。
【００７８】
このバリア本体部品２３のガイド溝２３ｄには、ピン２６ａの円形平板状頭部を包み込むような形態のレール部が形成されている（図４参照）。したがって、このレール部に対してピン２６ａの頭部をスライドさせて係合させた状態にすると、バリア本体部品２３は、ガイド溝２３ｄに沿う方向（短辺方向）、即ちカメラ上下方向にのみ移動可能となり、ピン２６ａの軸方向に対してはピン２６ａがガイド溝２３ｄから容易に抜去し得ない構造となっている。
【００７９】
このような形態でバリア本体部品２３と連結部品２６とを連結させることによって、バリアユニット１２に対してカメラ本体の表面の垂直方向への外力、例えばバリアユニット１２をカメラ本体の表面から剥がし取るような外力が加わったときに、バリアユニット１２がカメラ本体の表面から容易に剥がれてしまうことがないように工夫されている。
【００８０】
そして、連結部品２６とバリア本体部品２３との間には、バリアユニット１２の開状態又は閉状態の各状態を維持するためのトグルバネ２７が懸架されている。
【００８１】
このトグルバネ２７は、一端が連結部品２６の前面にカシメ等によって植設された係止ピン２６ｂに架けられており、他端がバリア本体部品２３の裏面にカシメ等によって植設された係止ピン２３ｅに架けられている。
【００８２】
さらに、バリア本体部品２３の裏面の略中央部には、短辺方向に延びるカム溝が形成されたスイッチカム３１が配設されている。このスイッチカム３１は、本体ケース１０の前面の略中央部分に回動自在に配設されているスイッチ３０とカム結合している。そして、バリアユニット１２の開閉移動に連動して電源スイッチがオンオフされるようになっている。
【００８３】
このように構成された本実施形態のカメラにおいては、図２に示すようにバリアユニット１２が閉位置にあるときに、使用者がバリアユニット１２の外面側に手指等をかけて、該バリアユニット１２をカメラ本体の表面に沿う方向、具体的にはカメラ上下方向にスライドさせる。これにより、バリアユニット１２は、図１に示すように開位置に移動する。
【００８４】
このとき、バリアユニット１２の裏面には、カメラ本体の前側外観部品１１の表面に常に当接するように付勢され、バリアユニット１２が移動するのに伴ってカメラ本体の表面上を摺動する摺動部材２５が設けられている。
【００８５】
また、バリア本体部品２３の長辺方向の寸法Ｌ２を本体ケース１０のガイド溝１０ａ，１０ｂの第１の壁面１０ｆ，１０ｇ間の寸法Ｌ１よりも若干大きく設定してあるので、バリア本体部品２３の摺動支持部２３ａ，２３ｂを本体ケース１０のガイド溝１０ａ，１０ｂに係合させたとき、摺動支持部２３ａの第１の摺動部２３ｆがガイド溝１０ａの第１の壁面１０ｆに常に当接し、摺動支持部２３ｂの第２の摺動部２３ｇがガイド溝１０ｂの第２の壁面１０ｇに常に当接する。そして、この状態で、バリアユニット１２をカメラ本体の表面に沿う方向であって、バリアユニット１２の短辺に沿う方向に移動させたとき、第１の摺動部２３ｆと第１の壁面１０ｆとが当接摺動し、第２の摺動部２３ｇと第２の壁面１０ｇとが当接摺動する。
【００８６】
以上説明したように上記一実施形態によれば、スライド部材であるバリアユニット１２におけるバリア本体部品２３の長辺方向の寸法Ｌ１を、本体ケース１０のガイド溝１０ａ，１０ｂの第１の壁面１０ｆ，１０ｇ間の寸法Ｌ２よりも若干大きく設定したことによって、バリアユニット１２がスライド方向に対して傾いた状態になることを抑えることができる。したがって、これにより、バリアユニット１２を常に安定した状態でスムースにスライド移動させることができると共に、バリアユニット１２がカメラ本体の表面を傷付けてしまうこともない。
【００８７】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００８８】
【図１】本発明の一実施形態のバリア付きカメラにおいてバリアユニットが開位置にある状態を示す外観斜視図。
【図２】本発明の一実施形態のバリア付きカメラにおいてバリアユニットが閉位置にある状態を示す外観斜視図。
【図３】本発明の一実施形態のバリア付きカメラの分解斜視図。
【図４】本発明の一実施形態のバリア付きカメラにおけるバリアユニットのみを取り出して拡大して示す要部拡大分解斜視図。
【図５】図３の［Ｖ］−［Ｖ］線に沿う拡大断面図。
【図６】図５の［ＶＩ］部を拡大して示す要部拡大断面図。
【図７】本発明の一実施形態のバリア付きカメラのバリアユニットにおける摺動部材をバリアユニットに組み込む際の作用を説明する図。
【図８】本発明の一実施形態のバリア付きカメラのうち本体ケースとバリア本体部品とを取り出して示す分解斜視図。
【図９】本発明の一実施形態のカメラのバリアユニットにおけるバリア本体部品の五面図。
【符号の説明】
【００８９】
１……カメラ
１０……本体ケース
１０ａ，１０ｂ……ガイド溝
１０ａａ，１０ｂｂ……凸状部
１０ｆ……第１の壁面
１０ｇ……第２の壁面
１１……前側外観部品
１１ａ……撮影レンズ窓
１１ｂ……閃光発光窓
１１ｃ……補助光発光窓
１２……バリアユニット
１３……右側外観部品
１４……左側外観部品
１５……電池蓋
１６……撮影レンズユニット
１９ａ……電源ボタン
１９ｂ……シャッターボタン
２０……端子蓋
２１……バリア外観部品
２２……スペーサ
２３……バリア本体部品
２３ａ，２３ｂ……摺動支持部
２３ｃ……孔
２３ｄ……ガイド溝
２３ｅ……係止ピン
２３ｆ……第１の摺動部
２３ｇ……第２の摺動部
２４……付勢バネ
２５……摺動部材
２５ａ……筒状部
２５ｂ……フランジ部
２５ｃ……摺動面
２５ｄ……バネ受け面
２５ｅ……係止部
２５ｅｅ……壁部
２５ｆ……凹部
２５ｇ……凹部
２６……連結部品
２７……トグルバネ
２８……バリアオサエ部品
２９……バリアオサエ部品
３０……スイッチ
３１……スイッチカム
５１……第１治具
５１ａ……凸部
５２……第２治具
【図１】
2010049198.tif 000003
【図２】
2010049198.tif 000004
【図３】
2010049198.tif 000005
【図４】
2010049198.tif 000006
【図５】
2010049198.tif 000007
【図６】
2010049198.tif 000008
【図７】
2010049198.tif 000009
【図８】
2010049198.tif 000010
【図９】
2010049198.tif 000011